(57)【要約】【課題】  コンテンツ内に設定された一時停止ポイントにおける停止からユーザによる再生処理が行われることで、ユーザのコンテンツ視聴を確認する情報配信装置および情報配信システムを提供する。【解決手段】  コンテンツ配信サーバ２００はパーソナルコンピュータ３００に動画を配信するが、コンテンツ配信サーバ２００の処理によって、その動画が一時停止される。そして、動画の閲覧者が一時停止された動画を所定の時間内に一時停止解除しなければ、その動画は最初の位置から再生される。【選択図】  図１
2010220056.tif 000002
【特許請求の範囲】
【請求項１】
通信回線を介して閲覧端末に動画情報を配信する動画情報配信手段と、
前記動画情報を一時停止させる一時停止情報を前記閲覧端末に送信する送信手段と、
前記閲覧端末での前記動画情報の再生中該動画情報に対する操作内容を操作情報として受信する操作情報受信手段と、
前記操作情報受信手段で受信する前記操作情報に基づき、前記一時停止情報に従った一時停止から所定の時間の間に一時停止解除の操作がなされなかった場合には、前記動画情報が一時停止された位置から再生されないように当該動画情報を再配信する動画再配信手段と
を有する情報配信装置。
【請求項２】
前記操作情報受信手段で受信する前記操作情報を記憶する記憶手段
を有する
請求項１記載の情報配信装置。
【請求項３】
前記動画再配信手段は、
一時停止された当該動画情報の最初の位置から再生されるように再配信する
請求項１または２記載の情報配信装置。
【請求項４】
前記一時停止情報に基づき一時停止される動画の位置から所定の時間以前より、当該一時停止情報に基づく一時停止を行わないようにする一時停止回避ボタンを前記動画情報に含んで配信する一時停止回避ボタン配信手段と、
前記操作情報受信手段で受信する前記操作情報に基づき、前記一時停止回避ボタンが押下された場合には、当該一時停止回避ボタンに関わる一時停止を行わないようにする一時停止回避情報送信手段と
を
更に有する請求項１乃至３いずれか記載の情報配信装置。
【請求項５】
前記閲覧端末に配信した前記動画情報に関わる前記情報受信手段で受信する前記操作情報に基づき、前記一時停止情報を再構成する再構成手段を有する
請求項１乃至４いずれか記載の情報配信装置。
【請求項６】
前記一時停止情報の一時停止する位置を、当該動画情報に基づき自動的に設定する自動設定手段
を
更に有する請求項１乃至５いずれか記載の情報配信装置。
【請求項７】
情報を配信する情報配信装置と、前記情報配信装置から配信される前記情報を受信する閲覧装置とを備え、
前記情報配信装置は、
通信回線を介して前記閲覧端末に動画情報を配信する動画情報配信手段と、
前記動画情報を一時停止させる一時停止情報を前記閲覧端末に送信する送信手段と、
前記閲覧端末での前記動画情報の再生中該動画情報に対する操作内容を操作情報として受信する操作情報受信手段と、
前記操作情報受信手段で受信する前記操作情報に基づき、前記一時停止情報に従った一時停止から所定の時間の間に一時停止解除の操作がなされなかった場合には、前記動画情報が一時停止された位置から再生されないように当該動画情報を再配信する動画再配信手段と
を有し、
前記閲覧装置は、前記動画情報配信手段で配信された動画情報を操作者に表示する表示手段と、
前記表示手段に表示された前記動画情報に対する前記操作者による操作内容を前記情報配信装置に送信する操作内容送信手段と
を
有する情報配信システム。
【発明の詳細な説明】
【技術分野】
【０００１】
本発明は、情報配信装置および情報配信システムに関する。
【背景技術】
【０００２】
従来よりネットワークで接続されるパーソナルコンピュータに対して、コンテンツ提供者が学習コンテンツを配信して、遠隔地などに住む学習者に便利になるコンテンツ配信技術が存在する。
【０００３】
特許文献１には、各受講者の受講状況に合わせて理解度の確認をネットワーク側から行って教育の進捗を推し量り、一定の成績以上の場合、各クライアントから当該教育コンテンツを消去し、クライアントのシステムリソースの有効活用を図り、さらに、理解済みの受講者にとって邪魔なだけの教育コンテンツを排除することにより、その次のコースをネットワークから自動的に配信したり、既に配布済みの媒体から取り出すための暗号鍵を配信し、受講者が本来学習すべき教育コンテンツのみに集中できるようになり学習効果も上がる学習機能付き遠隔教育システムが提案されている。
【０００４】
また、特許文献２には、学習者が配信されるコンテンツの内容が理解できた場合には「分かった」ボタンを押下し、理解できなかった場合には「分からない」ボタンを押下し、学習者が理解できなかったことを示す情報をコンテンツ提供側が受信し、その情報に基づいて適切な解説情報を学習者に送信する学習支援方法及び学習支援プログラムが提案されている。
【０００５】
また、特許文献３には、動画データを出力する出力手段と、編集者からの指示位置を検出する指示位置検出手段と、動画データの対応付位置を特定する対応付位置特定手段と、動画データの対応付位置を調整する対応付位置調整手段とを有して、動画データとドキュメントの対応位置を特定して同期する位置の位置調整を行う情報編集装置、情報編集方法、情報編集プログラムが提案されている。
【特許文献１】特開平１１−２４９５４０号公報
【特許文献２】特開２００３−２８０５１６号公報
【特許文献３】特開２００４−２３６２３９号公報
【発明の開示】
【発明が解決しようとする課題】
【０００６】
この発明は、コンテンツ内に設定された一時停止ポイントにおける停止からユーザによる再生処理が行われることで、ユーザのコンテンツ視聴を確認する情報配信装置および情報配信システムを提供することを目的とする。
【課題を解決するための手段】
【０００７】
上記目的を達成する為に、請求項１の情報配信装置は、通信回線を介して閲覧端末に動画情報を配信する動画情報配信手段と、前記動画情報を一時停止させる一時停止情報を前記閲覧端末に送信する送信手段と、前記閲覧端末での前記動画情報の再生中該動画情報に対する操作内容を操作情報として受信する操作情報受信手段と、前記操作情報受信手段で受信する前記操作情報に基づき、前記一時停止情報に従った一時停止から所定の時間の間に一時停止解除の操作がなされなかった場合には、前記動画情報が一時停止された位置から再生されないように当該動画情報を再配信する動画再配信手段とを有するように構成される。
【０００８】
また、請求項２の発明は、請求項１の発明において、前記操作情報受信手段で受信する前記操作情報を記憶する記憶手段を有するように構成される。
【０００９】
また、請求項３の発明は、請求項１または２の発明において、前記動画再配信手段は、一時停止された当該動画情報の最初の位置から再生されるように再配信するように構成される。
【００１０】
また、請求項４の発明は、請求項１乃至３のいずれかの発明において、前記一時停止情報に基づき一時停止される動画の位置から所定の時間以前より、当該一時停止情報に基づく一時停止を行わないようにする一時停止回避ボタンを前記動画情報に含んで配信する一時停止回避ボタン配信手段と、前記操作情報受信手段で受信する前記操作情報に基づき、前記一時停止回避ボタンが押下された場合には、当該一時停止回避ボタンに関わる一時停止を行わないようにする一時停止回避情報送信手段とを更に有するように構成される。
【００１１】
また、請求項５の発明は、請求項１乃至４のいずれかの発明において、前記閲覧端末に配信した前記動画情報に関わる前記情報受信手段で受信する前記操作情報に基づき、前記一時停止情報を再構成する再構成手段を有するように構成される。
【００１２】
また、請求項６の発明は、請求項１乃至５のいずれかの発明において、前記一時停止情報の一時停止する位置を、当該動画情報に基づき自動的に設定する自動設定手段を更に有するように構成される。
【００１３】
また、請求項７の発明の情報配信システムは、情報を配信する情報配信装置と、前記情報配信装置から配信される前記情報を受信する閲覧装置とを備え、前記情報配信装置は、通信回線を介して前記閲覧端末に動画情報を配信する動画情報配信手段と、前記動画情報を一時停止させる一時停止情報を前記閲覧端末に送信する送信手段と、前記閲覧端末での前記動画情報の再生中該動画情報に対する操作内容を操作情報として受信する操作情報受信手段と、前記操作情報受信手段で受信する前記操作情報に基づき、前記一時停止情報に従った一時停止から所定の時間の間に一時停止解除の操作がなされなかった場合には、前記動画情報が一時停止された位置から再生されないように当該動画情報を再配信する動画再配信手段とを有し、前記閲覧装置は、前記動画情報配信手段で配信された動画情報を操作者に表示する表示手段と、前記表示手段に表示された前記動画情報に対する前記操作者による操作内容を前記情報配信装置に送信する操作内容送信手段とを有するように構成される。
【発明の効果】
【００１４】
請求項１の発明は、配信される動画が一時停止されて所定の時間の間に一時停止解除操作がなされなかった場合には、その動画が一時停止された位置から再生されない。
【００１５】
請求項２の発明は、配信される動画が一時停止されて所定の時間の間に一時停止解除操作がなされなかった場合には、その動画が一時停止された位置から再生されない。
【００１６】
請求項３の発明は、配信される動画が一時停止されて所定の時間の間に一時停止解除操作がなされなかった場合には、動画が最初の位置から再生される。
【００１７】
請求項４の発明は、一時停止回避ボタンが押下された場合には、当該一時停止回避ボタンに関わる一時停止が行われない。
【００１８】
請求項５の発明は、閲覧端末で操作された内容に基づいて、一時停止される位置が再構成される。
【００１９】
請求項６の発明は、一時停止される位置が自動的に決定される。
【００２０】
請求項７の発明は、配信される動画が一時停止されて所定の時間の間に一時停止解除操作がなされなかった場合には、その動画が一時停止された位置から再生されない。
【発明を実施するための最良の形態】
【００２１】
以下、本発明の実施例について添付図面を参照して詳細に説明する。
【００２２】
まず、コンテンツ配信システム１について図１を参照して説明を行う。
【００２３】
図１は、コンテンツ配信システム１の構成を示す模式図である。
【００２４】
図１に示すように、コンテンツ配信システム１は、コンテンツ作成装置１００、コンテンツ配信サーバ２００、パーソナルコンピュータ３００（以下、ＰＣ３００と呼ぶ）が通信回線２に接続されて構成される。
【００２５】
コンテンツ作成装置１００は、制御部１０１、記憶部１０２を備えたパーソナルコンピュータであり、ＰＣ３００に配信する動画のコンテンツを作成する。
【００２６】
また、コンテンツ作成装置１００では、作成するコンテンツに一時停止ポイントの付与も行われる。
【００２７】
一時停止ポイントとは、コンテンツ中に挿入されるものであり、動画のコンテンツがＰＣ３００で再生されて一時停止ポイントの位置が再生されると、動画の再生が一時停止されるというものである。
【００２８】
コンテンツ作成装置１００は、作成したコンテンツをコンテンツ配信サーバ２００にアップロードする。
【００２９】
コンテンツ配信サーバ２００は、コンテンツ作成装置１００からアップロードされたコンテンツを、ユーザが操作するＰＣ３００にストリーミング配信する処理を行う。
【００３０】
ＰＣ３００は、ユーザがストリーミング配信されるコンテンツを視聴するための端末装置であり、制御部３０１、記憶部３０２を有するパーソナルコンピュータである。
【００３１】
ＰＣ３００の記憶部３０２には、Ｗｅｂブラウザ３０３のアプリケーションが記憶され、ユーザは、Ｗｅｂブラウザ３０３を動作させて、コンテンツ配信サーバ２００からストリーミング配信されるコンテンツの再生を行う。
【００３２】
このように構成されるコンテンツ配信システム１では、コンテンツ配信サーバ２００からＰＣ３００に配信されるコンテンツには一時停止ポイントが設定されている。
【００３３】
そして、ＰＣ３００でコンテンツが再生されていて一時停止ポイントに近づくと、コンテンツの画面上に一時停止回避ボタンが表示され、ユーザが一時停止回避ボタンを押下しないと（押下されない場合にはユーザは画面を見ている以外の行動をしている可能性がある）、コンテンツの再生が一時停止される。
【００３４】
その後、一時停止の状態から再生ボタンの押下が一定時間行われないと（コンテンツの再生が一定時間一時停止されたままである場合には、ユーザは画面を見ている以外の行動をしている可能性がある）、配信されているコンテンツが最初に戻って再生される。
【００３５】
このように、コンテンツ配信システム１では、ＰＣ３００を操作するユーザが、コンテンツを画面上に再生させても実は別な作業をやるなどしてコンテンツを視聴していない状態が発生しないように、配信されるコンテンツがユーザに視聴されるような工夫がされている。
【００３６】
また、ＰＣ３００で操作された操作内容は、通信回線２を解してコンテンツ配信サーバ２００にユーザ操作情報として送信され、ユーザの視聴動向に関する情報であるユーザ操作情報がコンテンツ配信サーバ２００に送られる。
【００３７】
次に、コンテンツ配信サーバ２００の構成について図２を参照して説明を行う。
【００３８】
図２は、コンテンツ配信サーバ２００の構成を示したブロック図である。
【００３９】
図２に示すように、コンテンツ配信サーバ２００は、制御部２０１、ストリーミング配信部２０１、記憶部２０３、通信／配信部２０４、一時停止ポイント自動付与部２０５、ユーザ情報反映一時停止ポイント自動付与部２０６、ユーザ情報記憶部２０７を有する。
【００４０】
制御部２０１は、ＣＰＵ（Central Processing Unit）で構成され、コンテンツ配信サーバ２００を統括的に制御する。
【００４１】
ストリーミング配信部２０２は、記憶部２０３に記憶されるコンテンツをＰＣ３００にストリーミング配信する。
【００４２】
また、ストリーミング配信部２０２は、ストリーミング配信するコンテンツに設定されている一時停止ポイントでコンテンツの動画再生を一時停止する処理や、設定された一時停止ポイントの前にコンテンツの画面上に一時停止回避ボタンを表示させる処理などのコンテンツのストリーミング配信に関する処理を行う。
【００４３】
記憶部２０３は、コンテンツ配信サーバ２００を動作させるソフトウェアを記憶し、コンテンツ作成装置１００からアップロードされたコンテンツ等を記憶する。
【００４４】
通信Ｉ／Ｆ部２０４は、通信回線２と接続され、コンテンツ作成サーバ１００やＰＣ３００と情報の授受を行う。
【００４５】
一時停止ポイント自動付与部２０５は、ＰＣ３００に配信するコンテンツに一時停止ポイントを自動的に付与する。
【００４６】
ユーザ情報反映一時停止ポイント自動付与部２０６は、ＰＣ３００の操作内容であるユーザ操作情報を受信した結果、そのユーザ操作情報に基づいてＰＣ３００に配信するコンテンツに一時停止ポイントを自動的に付与する。
【００４７】
ユーザ情報記憶部２０７は、ＰＣ３００から送られるユーザのＰＣ３００を操作した内容であるユーザ操作情報や、配信されたコンテンツに基づいてユーザに行ったテストの結果やアンケートの結果等を記憶する。
【００４８】
次に、コンテンツ作成装置１００で行われる一時停止ポイント設定の処理について図３を参照して説明を行う。
【００４９】
図３は、コンテンツ作成装置１００で行われる一時停止ポイント設定の画面を示した画面構成図である。
【００５０】
コンテンツ作成装置１００では、コンテンツ作成後に、作成されたコンテンツに対して一時停止ポイントの設定が行われる。
【００５１】
一時停止ポイントの設定は、コンテンツ作成者が動画再生の所望の位置に任意に付与して行われる場合と、コンテンツ配信サーバ２００によって自動的に一時停止ポイントが付与される場合とがある。
【００５２】
コンテンツ作成者がコンテンツの所望の位置に一時停止ポイントを付与する場合には、図３（ａ）に示すように、コンテンツを最初から再生させてコンテンツ作成者の所望の位置が再生された時に、コンテンツ作成者が一時停止ポイント付与ボタン３０１を押下することで、一時停止ポイントの付与が行われる。
【００５３】
コンテンツ作成者は、このような作業をコンテンツを再生しながら行って、コンテンツの所望の位置に一時手停止ポイントを付与することができる。
【００５４】
コンテンツ作成者が一時停止ポイントを付与する位置の例として、動画であるコンテンツの中の、コンテンツ作成者が、コンテンツ内で視聴ユーザに注目して欲しい個所の前後に設定することができる。
【００５５】
また、コンテンツ作成者が一時停止ポイントを付与する位置の例として、コンテンツ作成者が、テストやアンケート等の視聴後のアクションに関係する個所の前後に設定することができる。
【００５６】
コンテンツ配信サーバ２００によって自動的に一時停止ポイントが付与される場合には、コンテンツ作成装置１００において、コンテンツ作成者が、図３（ｂ）に示すように、「シーンが変わったところに設定」（参照番号３０１）、「音声が３秒以上途切れる個所に設定」（参照番号３０２）を選択することができて、また、一時停止ポイントの設定数をコンテンツ作成者の所望の数に設定することができる（参照番号３０３）。
【００５７】
例えば、コンテンツ作成者が、コンテンツ作成装置１００に表示される一時停止ポイント設定の画面で、コンテンツ作成者が「シーンが変わったところに設定」にチェックを入れて、「音声が３秒以上途切れる位置に設定」にチェックを入れて、一時停止ポイント設定数に所望の数を入力すると、コンテンツ作成者が入力した情報が一時停止ポイント自動付与情報としてコンテンツに付与される。
【００５８】
そして一時停止ポイント自動付与情報が付与されたコンテンツがコンテンツ配信サーバ２００にアップロードされると、コンテンツ配信サーバ２００の一時停止ポイント自動付与部２０５が、コンテンツ内のシーンが変わったところを自動検出し、そこに一時停止ポイントを付与する。
【００５９】
また、コンテンツ配信サーバ２００の一時停止ポイント自動付与部２０５は、コンテンツに付与されている一時停止ポイント自動付与情報に「音声が３秒以上途切れる位置に設定」が含まれているので、コンテンツ内の音声が３秒以上途切れる部分を検出し、そこに一時停止ポイントを付与する。
【００６０】
また、コンテンツ内の一時停止ポイントの設定は、コンテンツ配信サーバ２００のユーザ情報反映一時停止ポイント自動付与部２０６による自動設定もされる。
【００６１】
ユーザ情報反映一時停止ポイント自動付与部２０６による自動設定は、ユーザ情報記憶部２０７に記憶される、ユーザ操作情報や、配信されたコンテンツに基づいてユーザに行ったテストの結果やアンケートの結果等に従って、一時停止ポイントを自動的にコンテンツ内に付与する。例えば、テスト結果の中でユーザが不正解だった個所が流れる動画個所の前後に一時停止ポイントが自動的に付与されたり、アンケートの結果、ユーザが興味のない個所の前後に一時停止ポイントを自動的に付与したりする。一時停止ポイントが付与される位置は、コンテンツ作成者がユーザに確実に視聴してもらいたい個所である。
【００６２】
また、一時停止ポイント自動付与部２０５は、同じユーザに同じコンテンツを配信する場合には、前回一時停止ポイントが付与された位置とは異なる位置に一時停止ポイントを付与する。
【００６３】
コンテンツ配信サーバ２００の一時停止ポイント自動付与部２０５やユーザ情報反映一時停止ポイント自動付与部２０６が付与する一時停止ポイントの数は、コンテンツ作成者が決定した数よりさらに増減した数になってもよい。
【００６４】
一時停止ポイント自動付与部２０５やユーザ情報反映一時停止ポイント自動付与部２０６による一時停止ポイントの自動付与は、ＰＣ３００によるコンテンツの視聴１回毎に行われるので、そのつど付与条件の範囲内でランダムに付与されるように構成される。それで、ユーザに一時停止ポイントを特定されることがなくなる。
【００６５】
次に、ＰＣ３００のＷｅｂブラウザ３０３で再生されるコンテンツの画面について図４を参照して説明を行う。
【００６６】
図４は、ＰＣ３００のＷｅｂブラウザ３０３で再生されるコンテンツの画面を示す画面構成図である。
【００６７】
コンテンツ配信サーバ２００からストリーミング配信されるコンテンツの画面は、図４に示すように、動画映像が画面に表示され（参照番号４０１）、動画映像を補助的に説明する静止画の資料も画面上に表示される（参照番号４０２）。
【００６８】
そして再生されているコンテンツ内の位置が時間表示され（参照番号４０３）、動画映像を操作する再生ボタン４０４、ユーザが再生されている動画を一時停止したいときに押下する一時停止ボタン４０５、動画を停止させる停止ボタン４０６等が表示されている。
【００６９】
コンテンツの画面上でユーザがこれら再生ボタン４０４、一時停止ボタン４０５、停止ボタン４０６などを操作した内容は、操作された操作内容がユーザ操作情報としてＰＣ３００からコンテンツ配信サーバ２００に送信される。
【００７０】
ＰＣ３００を操作するユーザは、コンテンツ配信サーバ２００からストリーミング配信される動画映像を画面上（参照番号４０１）で視聴する。
【００７１】
次に、コンテンツ配信システム１でＰＣ３００にコンテンツがストリーミング配信される処理について図５を参照して説明を行う。
【００７２】
図５は、コンテンツ配信システム１でＰＣ３００にコンテンツがストリーミング配信される処理を示したフローチャートである。
【００７３】
図５に示すように、コンテンツ配信サーバ２００からＰＣ３００にコンテンツがストリーミング配信されていて動画映像が再生され（ステップ５０１）、動画の中に付与されている一時停止ポイントの１０秒前の位置が再生されると（ステップ５０２でＹＥＳ）、ストリーミング配信部２０２によって、図６に示すように、コンテンツの画面上に一時停止を回避する一時停止回避ボタン６０１と、一時停止までの時間経過を表す時間経過表示バー６０２とが表示される（ステップ５０３）。
【００７４】
図６は、ＰＣ３００に表示されるコンテンツの画面上に一時停止回避ボタン６０１と時間経過表示バー６０２とが表示されたコンテンツの画面を示す模式図である。
【００７５】
ユーザは、時間経過表示バー６０２が表示から１０秒の間に一時停止回避ボタン６０１を押下すれば、次の一時停止ポイントで動画再生が一時停止されることなくスムーズに動画を視聴できる。
【００７６】
ＰＣ３００に表示されるコンテンツの画面上に一時停止回避ボタン６０１と時間経過表示バー６０２とが表示された後、次の一時停止ポイントの位置が再生される前に一時停止回避ボタン６０１が押下されると（ステップ５０４でＹＥＳ）、コンテンツの画面上に表示された一時停止回避ボタン６０１と時間経過表示バー６０２とがコンテンツの画面上から消される（ステップ５０５）。
【００７７】
そして、次の一時停止ポイントの位置が再生される（ステップ５０６）、引き続きストリーミング配信が行われる（ステップ５０１）。
【００７８】
また、コンテンツの画面上に一時停止回避ボタン６０１と時間経過表示バー６０２とが表示された後、一時停止回避ボタン６０１が押下されることなく、次の一時停止ポイントの位置が再生されると（ステップ５０７）、コンテンツ配信サーバ２００のストリーミング配信部２０２によって、ストリーミング配信されるコンテンツの動画再生が一時停止される（ステップ５０８）。
【００７９】
コンテンツの動画再生が一時停止された状態から（ステップ５０８）、ユーザがコンテンツの画面上で再生ボタン４０４を押下して動画再生を指示すると（ステップ５０９でＹＥＳ）、コンテンツの一時停止が解除されて動画再生が再開される（ステップ５１０）。
【００８０】
コンテンツが再開された後にコンテンツの内容が終了されていない場合には（ステップ５１１でＮＯ）、引き続きコンテンツの動画再生が行われる（ステップ５０１）。
【００８１】
コンテンツが再開された後にコンテンツの内容が終了した場合には（ステップ５１１でＹＥＳ）、コンテンツのストリーミング配信は終了される。
【００８２】
また、ステップ５０８でコンテンツの動画再生がストリーミング配信部２０２によって一時停止された状態から、再生ボタン４０４の押下がされることなく（ステップ５０９でＮＯ）、所定の時間である３０秒が経過すると（ステップ５１２でＹＥＳ）、途中までストリーミング配信されたコンテンツであってもコンテンツの最初から動画再生が開始される（ステップ５１３）。
【００８３】
このように、コンテンツのストリーミング配信にあたって、動画再生されている最中にコンテンツの一時停止ポイントが近づくとコンテンツの画面上に一時停止回避ボタン６０１が表示される
この一時停止回避ボタン６０１が押下されればコンテンツの動画再生が一時停止されることはないが、ユーザがコンテンツを視聴することなく他の作業をするなどしていて一時停止回避ボタン６０１が押下されることがなければコンテンツの動画再生が一時停止される。
【００８４】
そして、コンテンツの動画再生がストリーミング配信部２０２によって一時停止された後に所定の時間（例えば３０秒間）再生ボタン４０４の押下が行われないと、コンテンツのストリーミング配信は、コンテンツの最初の位置に戻って行われる。
【００８５】
これにより、ＰＣ３００を操作するユーザが、コンテンツの動画再生を指示した後に、別の作業をするなどして配信されるコンテンツの視聴をしていない場合には、コンテンツの最初の位置から動画再生されることになる。
【００８６】
次に、ユーザ情報記憶部２０７に記憶されるユーザ操作情報に基づく出題テストの難易設定について図７を参照して説明を行う。
【００８７】
図７は、コンテンツが再生されたＰＣ３００のユーザによる操作内容であるユーザ操作情報に基づく出題テストの難易設定を示した表である。
【００８８】
図７に示すように、コンテンツ画面でユーザに操作された操作内容に応じて、コンテンツ配信後にユーザに対して行うテストの難易度を設定することができる。
【００８９】
ユーザの操作内容とテストの難易度の設定の関係は、例えば、図７に示すように、コンテンツ内に付与された一時停止ポイントで一時停止された後所定の時間が経過した場合（一時停止後の再生がされずにコンテンツの最初から再生があった場合）には、テスト問題の難易度を高くしてテスト出題量を多くする。
【００９０】
また、例えば、コンテンツ内に付与された一時停止ポイントで一時停止後に所定の時間が経過する前に再生ボタンが押下された場合には、図７に示すように、テスト問題の難易度を中くらいにしてテスト出題量を多くする。
【００９１】
また、例えば、コンテンツ内に付与された全ての一時停止ポイントが一時停止回避ボタン６０１によって回避された場合には、図７に示すように、テスト問題の難易度を中くらいにして、テスト問題量を中くらいにする。
【００９２】
このような一時停止ポイントでの操作内容は、ストリーミング配信においてストリーミング配信部２０２による強制的な一時停止に関わる操作であるが、他の一時停止操作として、ユーザがコンテンツ画面上の一時停止ボタン４０５を押下して動画再生を一時停止させる場合もある。このようなユーザの意思によって一時停止された場合には、意図的な一時停止として、図７に示すようにテストの難易度を低くしてテスト問題量を少なくする。
【００９３】
このように、コンテンツ配信システム１では、ＰＣ３００で操作されたユーザの操作内容がユーザ操作情報としてコンテンツ配信サーバ２００に送信されて記憶されるので、そのユーザ操作情報がテスト問題の難易度設定などに使用される。
【産業上の利用可能性】
【００９４】
この発明は、情報配信装置および情報配信システムにおいて利用可能である。
【図面の簡単な説明】
【００９５】
【図１】コンテンツ配信システム１の構成を示す模式図。
【図２】コンテンツ配信サーバ２００の構成を示したブロック図。
【図３】一時停止ポイントが設定されるコンテンツ作成装置上の画面。
【図４】ＰＣ３００に表示されるコンテンツの画面を示す画面構成図。
【図５】コンテンツ配信システム１でコンテンツ配信される処理を示すフローチャート。
【図６】一時停止回避ボタンが表示されるコンテンツの画面を示す画面構成図。
【図７】ユーザ操作情報に基づく出題テストの難易設定を示す表。
【符号の説明】
【００９６】
１００    コンテンツ作成装置
２００    コンテンツ配信サーバ
２０１    制御部
２０２    ストリーミング配信部
２０３    記憶部
２０４    通信Ｉ／Ｆ部
２０５    一時停止ポイント自動付与部
２０６    ユーザ情報反映一時停止ポイント自動付与部
２０７    ユーザ情報記憶部
６０１    一時停止回避ボタン
６０２    時間経過表示バー
【図１】
2010220056.tif 000003
【図２】
2010220056.tif 000004
【図３】
2010220056.tif 000005
【図４】
2010220056.tif 000006
【図５】
2010220056.tif 000007
【図６】
2010220056.tif 000008
【図７】
2010220056.tif 000009